(57)【要約】【課題】上記従来の技術には、割当交換の対象となるのは二つ以上のチャンネルであるにも関わらず、チャンネルの指示ごとにディスプレイ表示は切り替えられ、一方のチャンネルしか表示されない、という課題がある。したがって、ユーザーは交換対象となる二以上のチャンネルについて、どれとどれを入れ替えるのか一目での把握が困難で記憶に頼る必要があった。【解決手段】上記課題解決のため、本発明は、チャンネル割当の交換対象となる複数のチャンネルをディスプレイ上に画面分割で同時表示する機能を備えた放送受信装置を提供する。具体的には、チャンネル交換機能を有する放送受信装置であって、指定部と受信部と同時表示部と記憶部と選局ユーザーインターフェースと、を有する放送受信装置である。【選択図】図２
2009027524.tif 000002
【特許請求の範囲】
【請求項１】
ある放送周波数に予め割当てられていたチャンネルを、他の放送周波数に予め割当てられていた他のチャンネルに置き換えるためのチャンネル交換機能を有する放送受信装置であって、
交換しようとする複数のチャンネルを指定する指定部と、
指定されたチャンネルに割当てられている放送を受信する受信部と、
受信された放送を画面分割により一画面内に同時表示する同時表示部と、
指定された複数のチャンネルの放送周波数に対する割当を交換して記憶する記憶部と、
記憶されたチャンネルを利用して選局するための選局ユーザーインターフェースと、
を有する放送受信装置。
【請求項２】
指定されたチャンネルの属性情報を保持するチャンネル属性情報保持部と、
保持されているチャンネル属性情報を同時表示部にて表示されている画面と同時に各チャンネルに割当てられている放送に対応させて表示するチャンネル属性情報表示部と、
をさらに有する請求項１に記載の放送受信装置。
【請求項３】
前記チャンネル属性情報表示部は、属性情報を対応させる放送別に別形態に表示する形態識別表示手段を有する請求項２に記載の放送受信装置。
【請求項４】
指定された複数のチャンネルの交換関係を示す矢印などのマークを同時表示部にて表示されている画面と同時に表示する交換関係表示部をさらに有する請求項１から３のいずれか一に記載の放送受信装置。
【請求項５】
ある放送周波数に予め割当てられていたチャンネルを、他の放送周波数に予め割当てられていた他のチャンネルに置き換えるためのチャンネル交換機能を有する放送受信装置の制御方法であって、
交換しようとする複数のチャンネルを指定する指定ステップと、
指定されたチャンネルに割当てられている放送を受信するよう制御する受信ステップと、
受信された放送を画面分割により一画面内に同時表示する同時表示ステップと、
指定された複数のチャンネルの放送周波数に対する割当を交換して記憶する記憶ステップと、
を計算機に実行させる放送受信装置の制御方法。
【請求項６】
放送受信装置は、指定されたチャンネルの属性情報を保持するチャンネル属性情報保持部を有し、
保持されているチャンネル属性情報を同時表示ステップにて表示されている画面と同時に各チャンネルに割当てられている放送に対応させて表示するチャンネル属性情報表示ステップをさらに計算機に実行させる請求項５に記載の放送受信装置の制御方法。
【請求項７】
前記チャンネル属性情報表示ステップは、属性情報を対応させる放送別に別形態に表示する形態識別表示ステップをさらに含み計算機に実行させる請求項６に記載の放送受信装置の制御方法。
【請求項８】
指定された複数のチャンネルの交換関係を示す矢印などのマークを同時表示ステップにて表示されている画面と同時に表示する交換関係表示ステップをさらに計算機に実行させる請求項５から７のいずれか一に記載の放送受信装置の制御方法。
【発明の詳細な説明】
【技術分野】
【０００１】
本発明は、リモコンボタンなどの各チャンネルにそれぞれ割当てられている放送周波数を交換して、チャンネル割当周波数を置き換える技術に関する。
【背景技術】
【０００２】
現在、アナログ又はデジタルの地上波放送に加え、放送／通信衛星（ＢＳ／ＣＳ）放送やケーブルテレビ放送など、各種放送形態ごとにさまざまな番組が放送されている。つまりユーザーにとっては視聴番組の選択の幅が広がることになり、多様な番組を楽しむことができるようになっている。ところが、例えばリモコンであれば通常数字（チャンネル）ボタンは１０個〜１２個程度であるし、また通常の放送受信装置は、テレビ放送の受信用に１チャンネルから６２チャンネル、あるいは８０チャンネルまでの枠しか設けられていない。そのため、このように視聴可能な放送チャンネルが増えてくると、１個のチャンネルに対して一の放送周波数を割当てることができなくなる。そのため数字ボタンを複数回押すなどして所望のチャンネルを指定する必要があった。そこで従来の放送受信装置では、例えばよく視聴する放送局（の周波数）を予め任意のチャンネル（ボタン）に割当てる機能を実装し、ユーザーの手間を軽減させるよう工夫されている。
【０００３】
また、上記チャンネルに対する任意の周波数割当機能は、例えば、番組改変期でユーザーのよく視聴する番組／放送局が変わったなどを理由として、その割当周波数を変更することも可能となっている。そして、そのような場合、その変更の利便性を向上させるため、以下のような技術が提供されている。すなわち、例えばユーザーがチャンネルボタン３（割当放送周波数１５０Ｍｈｚ）とチャンネルボタン１２（割当放送周波数４０Ｍｈｚ）の割当を交換しようとする際、まず、割当交換モードを起動させチャンネル３を指定する。すると、ユーザーが放送周波数の割当交換対象として指定したチャンネルを確認できるよう、放送受信装置はディスプレイ上にその指定チャンネル（放送周波数１５０Ｍｈｚ）の放送番組αを表示する。つづいて割当交換対象としてチャンネル１２の指定すると、やはりユーザーが確認できるよう、放送受信装置は、今度はディスプレイ表示を、放送番組αから放送周波数４０Ｍｈｚの放送番組βへと切り替える。
【０００４】
そしてユーザーは、チャンネル指定に応じて順次表示されたその放送αやβをディスプレイにて見た後、割当放送周波数の交換対象となるチャンネルを確認して当該放送周波数の割当交換を実行するか判断することができる、という具合である。
【特許文献１】特開２００４−１８７１４３号公報
【非特許文献１】シャープ技報  第８８号（２００４年４月）  ５８ページから６０ページ
【発明の開示】
【発明が解決しようとする課題】
【０００５】
しかし、上記従来の技術には以下のような課題がある。すなわち、放送周波数の割当交換の対象となるのは二つ以上のチャンネルであるにも関わらず、チャンネルの指定ごとにディスプレイ表示は切り替えられ、一方のチャンネルの放送しか表示されない、という課題である。したがって、ユーザーは交換対象となる二以上のチャンネルについて、どれとどれを入れ替えるのか一目での把握が困難で、その場合には自身の記憶などに頼る必要があった。また、両者を対象比較しながら割当交換するか否か判断しようとしても、やはり前の表示画面の記憶にたよる必要があった。
【課題を解決するための手段】
【０００６】
以上の課題を解決するために、本発明は、割当周波数の交換対象となる複数のチャンネルの放送を、ディスプレイ上に画面分割で同時表示する機能を備えた放送受信装置を提供する。具体的には、ある放送周波数に予め割当てられていたチャンネルを、他の放送周波数に予め割当てられていた他のチャンネルに置き換えるためのチャンネル交換機能を有する放送受信装置であって、交換しようとする複数のチャンネルを指定する指定部と、指定されたチャンネルに割当てられている放送を受信する受信部と、受信された放送を画面分割により一画面内に同時表示する同時表示部と、指定された複数のチャンネルの放送周波数に対する割当を交換して記憶する記憶部と、記憶されたチャンネルを利用して選局するための選局ユーザーインターフェースと、を有する放送受信装置である。
【０００７】
また、その他に、割当交換として指定されたチャンネルのボタン番号や放送局名などの属性情報を同時に表示する機能や、その属性情報の表示を「交換チャンネル選択中」や「決定」など各種形態ごとに変化させる機能や、「３ｃ：江戸テレビ」→「１２ｃｈ：スポーツＴＶ」といった具合に、その交換関係を示す矢印などのマークをディスプレイ上に表示する機能などをさらに備えた放送受信装置を提供する。
【発明の効果】
【０００８】
以上のような構成をとる本発明によって、割当周波数の交換対象となる二つ以上のチャンネルで放送されている番組などを一の画面に同時表示することができる。したがって、ユーザーは交換対象となる二以上のチャンネルについて、どれとどれを入れ替えるのか一目で把握することができる。また、両者を対象比較しながら割当交換するか否か判断することもできる。
【発明を実施するための最良の形態】
【０００９】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、５について説明する。また、実施例２は、主に請求項２、６について説明する。また、実施例３は、主に請求項３、７について説明する。また、実施例４は、主に請求項４、８について説明する。
【００１０】
≪実施例１≫
<概要>
図１は、本実施例の放送受信装置におけるチャンネルの周波数割当の交換処理の一例を説明するための概念図である。この図にあるように、ユーザーは３チャンネルに割当てられる周波数（１５０Ｍｈｚ）と、１２チャンネルに割当てられる周波数（４０Ｍｈｚ）とを交換しようと考えている。そこで、ユーザーはＧＵＩを介して「チャンネル割当交換モード」を起動し、その交換対象を指定するためリモコンボタンの３チャンネルと１２チャンネルをそれぞれ押下した。すると、本実施例の放送受信装置は、指定された３チャンネルの放送αをディスプレイの左側に、１２チャンネルの放送βをディスプレイの右側に同時表示する処理を実行する。
【００１１】
このようにして、ユーザーは割当周波数の交換対象となる二つ（複数）のチャンネルの放送αと放送βとを見比べながら、チャンネルに割当てられている放送周波数の交換を実行するか否かを判断することができる。
【００１２】
<機能的構成>
図２は、本実施例の放送受信装置における機能ブロックの一例を表す図である。なお、本実施例の放送受信装置は「チャンネル交換機能」を有することを特徴とする。「チャンネル交換機能」とは、ある放送周波数に予め割当てられていたチャンネルを、他の放送周波数に予め割当てられていた他のチャンネルに置き換えるための機能を言う。
【００１３】
図３は、ＸＭＬ形式でのチャンネル設定テーブルの一例を表す図であり、この図を用いてチャンネル交換機能の一例について説明する。この図にあるように、例えば「チャンネル設定情報」として、チャンネルボタン「１」には○×テレビ（放送局名）を受信するよう放送周波数「２６５Ｍｈｚ」が割当てられている。また、チャンネルボタン「２」には、テレビ△（放送局名）を受信するよう放送周波数「１１０Ｍｈｚ」が割当てられている。そしてチャンネル交換機能とは、このチャンネル（ボタン）に対する放送周波数の割当を交換する機能である。すなわち、チャンネル交換機能によってチャンネル「１」に放送周波数「１１０Ｍｈｚ」が割当てられ、チャンネル「２」には、放送周波数「２６５Ｍｈｚ」が割当てられるよう、各チャンネルに割当てられている放送周波数の交換処理が実行される、という具合である。
【００１４】
そして、このようなチャンネル交換機能に加えて、本実施例の「放送受信装置」（０２００）は、図２に示すように「指定部」（０２０１）と、「受信部」（０２０２）と、「同時表示部」（０２０３）と、「記憶部」（０２０４）と、「選局ユーザーインターフェース」（０２０５）と、を有する。
【００１５】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００１６】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１７】
「指定部」（０２０１）は、交換しようとする複数のチャンネルを指定する機能を有する。
つまり、この指定部で指定された複数のチャンネルに関して、それぞれ割当てられている放送周波数が上記のようなチャンネル交換機能において交換されることになる。この指定部は、例えばＧＵＩやリモコンなどの入力デバイスによって実現することができる。具体的には、ＧＵＩを利用して起動されたチャンネル交換モードなどにおいて、リモコンを用いて入力されたチャンネル番号「３」、「１２」などを受け付けることで、この指定部でのチャンネルの指定がなされる、という具合である。
なお、「複数」とは２以上のチャンネルが交換のため指定されることを表し、例えば３以上のチャンネルが指定された場合、指定部は「３（チャンネル）→１２→１」といった具合にチャンネル交換の入替先／入替元も指定するよう構成すると良い。具体的には、例えばチャンネルの指定順番に応じて、先に指定されたチャンネルに割当てられた放送周波数が次に指定されたチャンネルに割当てられ、最後のチャンネルの放送周波数が最初のチャンネルに割当てられる、といった具合である。あるいは、別途入替え順番を指定する情報などをＧＵＩや入力デバイスから入力させるよう構成しても良い。
【００１８】
「受信部」（０２０２）は、指定されたチャンネルに割当てられている放送を受信する機能を有する。この受信部は、チューニング回路を含むチューナなどで実現することができる。なお、指定部にて指定されるチャンネルは複数であるので、受信部におけるチューナの数はそのチャンネル指定数と同数以上であることが望ましい。しかし、後述する放送の同時表示においては、チューナにて受信した放送をリアルタイムに表示する必要は無いので、例えば一基のチューナにて受信部を構成することもできる。つまり、第一の指定チャンネルの放送を静止画として保存し、後述するように画面左半分などに表示した後、チューナでの受信周波数を第二の指定チャンネルのものに切り替え、その受信画像を画面右半分に表示する、といった具合である。
【００１９】
そして本実施例の放送受信装置は、一または二基以上のチューナにて受信した複数の指定チャンネルの放送を、次の同時表示部の機能によってディスプレイ上に同時表示することを特徴とする。
【００２０】
「同時表示部」（０２０３）は、受信された放送を画面分割により一画面内に同時表示する機能を有する。この同時表示部は、例えばＶＲＡＭや、そのＶＲＡＭ上での色情報の配置を決定するグラフィックアクセラレータなどによって実現することができる。具体的に、複数の指定チャンネルの画像情報を、所定の配置テンプレートにしたがってＶＲＡＭ上に配置するようグラフィックアクセラレータが演算処理し、ディスプレイ上にその複数の放送を同時表示する、という具合である。なお、この同時表示における複数の放送の配置位置は、様々であって良い。例えば図１のような左右に並べる配置のほか、上下配置や一部重ね合せ配置、また３の放送であれば三角配置などが挙げられる。
【００２１】
図４は、この同時表示部による２つの放送の同時表示の一例を表す概念図である。この図４（１）に示すように、まず、ＧＵＩを介してチャンネル交換モードが起動される。そして、当該モードにてリモコン信号で示される指定チャンネル「３」を受信するとチューナにてチャンネル３の放送を受信する。そして図４（２）に示すように、画面分割された画面左半分に、そのチャンネル３で放送中の番組など表示する。続いて、放送受信装置は、リモコンの決定ボタン信号などを受信すると、次の指定チャンネルの受付を開始する。ここで、図４（３）に示すように、リモコン信号で示される指定チャンネル「１２」を受信すると、その１２チャンネルで放送中の番組などをチューナにて受信し、図４（４）に示すように、今度は画面分割された右半分にその放送を表示する。なお、チャンネル交換モードの起動直後などいずれのチャンネル指定も受付けていない場合、図に示すように何も表示しない構成のほか、例えば１チャンネルや前回受信チャンネル、モード切替前の受信チャンネルなどの放送がデフォルトで表示されるようにしても良い。
【００２２】
このように、画面上に割当周波数の交換対象として指定された複数のチャンネルの放送が、例えば左右に並べられるなどして同時表示されるので、ユーザーはどれとどれを交換するのか一目で把握することができる。また、両者を比較対象しながらチャンネルの周波数割当を交換するか否か判断することもできる。
【００２３】
なお図４に示すように、同時表示とは、あるタイミングで２以上の放送が同時に表示されていれば、その表示のスタートタイミングまでが同時である必要は無い。また、この同時表示部は画面上に無駄なく複数の放送を同時表示するため、例えばその同時表示の態様にあわせて放送画像の縦横比をスクイーズ処理などで変更する機能を備えていても良い。
【００２４】
「記憶部」（０２０４）は、指定された複数のチャンネルの放送周波数に対する割当を交換して記憶する機能を有する。この記憶部はＥＥＰＲＯＭなどの記憶媒体に、チャンネルと割当周波数との対応関係を示すチャンネル割当テーブルなどを更新記憶することで実現できる。
【００２５】
図５は、この記憶部での交換記憶処理を説明するための図であり、前記チャンネル割当テーブルを更新するための命令に含まれるＸＭＬ形式の情報の一例を表す図である。この図にあるように、現在はボタン「３」（３チャンネル）に割当てられている放送周波数「１５０Ｍｈｚ」が、ボタン「１２」への割当に変更されることが示されている。また、現在はボタン１２に割当てられている放送周波数「４０Ｍｈｚ」が、ボタン「３」への割当に変更されるよう示されている。そしてこのような情報を含むチャンネル割当テーブルの更新記録用命令がＣＰＵなどで生成され、その命令に従って記憶部に記憶されているチャンネル割当テーブルの内容が書き換えられる、という具合である。
【００２６】
「選局ユーザーインターフェース」（０２０５）は、記憶されたチャンネルを利用して選局するための機能を有する。この 選局ユーザーインターフェースは、例えばリモコンなどの入力デバイスによって実現することができる。そして、この選局ユーザーインターフェースで例えば３チャンネルが入力されると、例えば図３に示すようなチャンネル割当テーブルを参照して、今までは１５０Ｍｈｚの放送周波数が受信されていたところ、上記記憶部でのチャンネル割当テーブルの更新記録によって４０Ｍｈｚの放送周波数が受信されるようになる、という具合である。
【００２７】
<ハードウェア的構成>
図６は、上記機能的な各構成要件をハードウェアとして実現した際の、放送受信装置における構成の一例を表す概略図である。この図を利用して割当放送周波数の交換対象として指定された複数のチャンネルの放送を、画面上に同一表示するための処理におけるそれぞれのハードウェア構成部の働きについて説明する。この図にあるように、放送受信装置は、各種演算処理を行うための「ＣＰＵ（中央演算装置）」（０６０１）と、「主メモリ」（０６０２）と、を備えている。また指定部および選局ユーザーインターフェースである「ＵＩ（ユーザーインターフェース）」（０６０３）や、受信部である「チューナ１」（０６０４ａ）と「チューナ２」（０６０４ｂ）、同時表示部である「ＶＲＡＭ」（０６０５）や「ディスプレイ」（０６０６）、記憶部である「記憶装置」（０６０７）も備えている。そしてそれらが「システムバス」などのデータ通信経路によって相互に接続され、情報の送受信や処理を行う。
【００２８】
また、「主メモリ」は、各種処理を行うプログラムをＣＰＵに実行させるために読み出すと同時にそのプログラムの作業領域でもあるワーク領域を提供する。また、この「主メモリ」や「記憶装置」にはそれぞれ複数のアドレスが割り当てられており、「ＣＰＵ」で実行されるプログラムは、そのメモリアドレスを特定しアクセスすることで相互にデータのやりとりを行い、処理を行うことが可能になっている。
【００２９】
ここで「ＵＩ」を構成するリモコン信号の受光部にてチャンネル交換モードの起動信号を受光、復調すると、それをトリガーとしてチャンネル交換プログラムが「主メモリ」に展開される。そして、そのチャンネル交換プログラムにしたがって、放送受信装置は、まずはチャンネル信号の受信待機状態に制御される。そしてユーザーが例えばリモコンのチャンネルボタン「３」を押下すると、放送受信装置は「ＵＩ」にてその信号を受光、復調し「主メモリ」のアドレス１に格納する。そして、「ＣＰＵ」の演算処理によって「記憶装置」のアドレスＡに保持されているチャンネル割当テーブルを参照し、チャンネル３に割当られている放送周波数１５０Ｍｈｚを「主メモリ」のアドレス２に格納する。つづいて、その１５０Ｍｈｚの放送を受信するよう「チューナ１」を制御する命令が出力される。また、記憶装置に格納されている画面分割用の放送配置テンプレートを読み出し、その配置テンプレートに従って例えば「チューナ１」で受信した放送を例えば左半分に表示するための分割表示命令が生成され「主メモリ」のアドレス３に格納される。そして、その分割表示命令に応じた、図示しない「グラフィックアクセラレータ」の演算制御によって、「ＶＲＡＭ」の領域の左半分に、「チューナ１」で受信している放送の画像情報が書き込まれる。それによって、まずは、指定チャンネル３の放送が画面分割された「ディスプレイ」の左半分に表示されることになる。
【００３０】
つづいて、ユーザーがリモコンの決定ボタンなどを押下すると、放送受信装置は「ＵＩ」にてその信号を受光、復調し、次のチャンネルの指定を受け付ける状態に制御される。そして、今度はチャンネル「１２」を指定するリモコン信号を「ＵＩ」にて受光し、上記同様の処理によって「チューナ２」にて受信した放送を画面分割された「ディスプレイ」の右半分に表示する、という具合である。
【００３１】
そして、このようにして一画面上に表示された複数の放送をユーザーは見比べながら、チャンネル「３」と「１２」にそれぞれ割当てられた放送周波数を交換するか否か判断することができる。そして、ここでリモコンの決定ボタンが押下されるなどすると、放送受信装置は「ＵＩ」にてその信号を受光、復調し、「主メモリ」のアドレス１，２，４，５に格納されている情報を利用して図５に示すようなチャンネル割当テーブルの書換更新用命令を「ＣＰＵ」の処理により生成する。そしてその命令に従って、「記憶装置」ではアドレスＡに格納されたチャンネル割当テーブルの更新処理が実行され、次回以降の選局においては、チャンネル３と１２の割当周波数が交換された新しいチャンネル割当テーブルが利用されることになる、という具合である
【００３２】
<処理の流れ>
図７は、本実施例の放送受信装置における処理の流れの一例を表すフローチャートである。なお、以下に示すステップは、媒体に記録され計算機を制御するためのプログラムを構成する処理ステップであっても構わない。この図にあるように、まず、交換対象となる一のチャンネルＡの指定を受け付ける（ステップＳ０７０１）。すると、受け付けたチャンネルＡに割当てられている放送αを受信し（ステップＳ０７０２）、その放送αを画面分割によって、例えばディスプレイの左半分に表示する（ステップＳ０７０３）。
【００３３】
つづいて交換対象となる他のチャンネルＢの指定を受け付ける（ステップＳ０７０４）。すると、受け付けたチャンネルＢに割当てられている放送βを受信し（ステップＳ０７０５）、その放送βを画面分割によって、今度は例えばディスプレイの右半分に表示して放送αと同時表示する（ステップＳ０７０６）。そして決定ボタンなどの押下を受付る（ステップＳ０７０７）と、チャンネルＡとチャンネルＢに対する放送周波数の割当を交換する（ステップＳ０７０８）。
【００３４】
なお、上記処理の例では２つのチャンネルでの割当周波数の交換処理を説明するが、もちろん本実施例の放送受信装置は３以上のチャンネルに関して交換が実行されるよう構成しても構わない。また、複数の指定チャンネルが順次一画面上に同時表示されていくのではなく、すべてのチャンネル指定の終了を示すリモコン信号の受付などに応じて、いっぺんに一画面上に同時表示される処理の流れであっても良い。
【００３５】
<効果の簡単な説明>
以上のように、本実施例の放送受信装置によって、割当周波数の交換対象となる複数のチャンネルで放送されている番組などを一の画面に同時表示することができる。したがって、ユーザーは交換対象となる複数のチャンネルについて、どれとどれを入れ替えるのか一目で把握することができる。また、両者を対象比較しながら割当交換するか否か判断することもできる。
【００３６】
≪実施例２≫
<概要>
本実施例は、上記実施例を基本として、割当周波数の交換対象となるチャンネル番号や放送主体名（放送局名）、あるいはデジタル／アナログや地上派／衛星などの放送種別、現在の放送番組名といったチャンネルの属性情報を画面上に表示する機能をさらに備えることを特徴とする放送受信装置である。
【００３７】
図８は、本実施例の放送受信装置における画面表示の一例を表す概念図である。この図にあるように、本実施例の放送受信装置は、例えば同時表示している２つの放送のうち、画面分割左側の放送に関して、画面上の領域αに「３チャンネル」「江戸テレビ」「地上デジタル」「今日のニュース１０」といった具合に、そのチャンネル属性情報が表示されている。また、画面分割右側の放送に関して、画面上の領域βに、「１２チャンネル」「スポーツＴＶ」「ＣＳアナログ」「野球中継」といったチャンネル属性情報が表示されている、という具合である。このようにして、ユーザーは割当周波数の交換対象となる複数のチャンネルに関して、放送中の番組などのみならず、詳細な属性情報も一目で把握することができるようになる。
【００３８】
<機能的構成>
図９は、本実施例の放送受信装置における機能ブロックの一例を表す図である。この図にあるように、本実施例の「放送受信装置」（０９００）は、実施例１を基本として、「指定部」（０９０１）と、「受信部」（０９０２）と、「同時表示部」（０９０３）と、「記憶部」（０９０４）と、「選局ユーザーインターフェース」（０９０５）と、を有する。なお、これら構成は、上記実施例にて記載したものと同様であるのでその説明は省略する。そして本実施例の放送受信装置の特徴点は、さらに「チャンネル属性情報保持部」（０９０６）と、「チャンネル属性情報表示部」（０９０７）と、を有する点である。
【００３９】
「チャンネル属性情報保持部」（０９０６）は、指定されたチャンネルの属性情報を保持する機能を有し、フラッシュメモリをはじめとする各種記録媒体によって実現することができる。
【００４０】
図１０は、このチャンネル属性情報の一例を表す概念図である。この図にあるように、「チャンネルの属性情報」とは、チャンネルおよびチャンネルに割当てられている放送周波数に関する情報をいい、例えばチャンネル番号やその割当周波数帯、放送主体名（放送局名）、あるいはデジタル／アナログや地上派／衛星などの放送種別、系列ネットワーク名などが挙げられる。またそのほかにも、現在の放送番組名、有料／無料放送の別、ＨＤ／ＳＤなどの画質情報、ステレオ／２ヶ国語などの音声情報等が挙げられる。また、これら属性情報の取得は、デジタル放送であればヘッダ情報や電子番組表の情報などから取得すればよい。あるいは放送受信装置がインターネット接続機能を有していれば、サーバ装置から取得するよう構成しても良い。
【００４１】
「チャンネル属性情報表示部」（０９０７）は、保持されているチャンネル属性情報を同時表示部にて表示されている画面と同時に各チャンネルに割当てられている放送に対応させて表示する機能を有する。このチャンネル属性情報表示部は、例えばＶＲＡＭや、そのＶＲＡＭ上での色情報の配置を決定するＧＰＵ（グラフィックアクセラレータ）などによって実現することができる。また、このチャンネル属性情報の表示は、例えば同時表示の際に利用する配置位置テンプレートに属性情報表示用の領域を設け、そこに表示するよう構成しても良い。あるいは、ＯＳＤ表示によって属性情報を表示するよう構成しても良い。また、そのＯＳＤ表示においては、ＯＳＤ表示領域の透過率を、例えばユーザー操作などに応じて可変となるよう構成しても良い。なお、その放送と属性情報の表示位置についても対応して表示されることになる。すなわち、属性情報は対応する放送の近傍などに表示されると良い。また、チャンネル属性情報の表示位置は様々であって良く、例えば画面上の上下への表示のほか、左右に領域を設け属性情報を表示するよう構成しても良い。また、属性情報の表示領域の透過性を高くすることで、中央部分などに表示するようにしても良い。
【００４２】
<処理の流れ>
図１１は、本実施例の放送受信装置における処理の流れの一例を表すフローチャートである。なお、以下に示すステップは、媒体に記録され計算機を制御するためのプログラムを構成する処理ステップであっても構わない。この図にあるように、まず、交換対象となる一のチャンネルＡの指定を受け付ける（ステップＳ１１０１）。すると、受け付けたチャンネルＡに割当てられている放送αを受信し（ステップＳ１１０２）、その放送αを画面分割によって、例えばディスプレイの左半分に表示する（ステップＳ１１０３）。また、予め保持されているチャンネルＡのチャンネル属性情報を取得し、前記表示されている放送αに対応させて、その近傍などに表示する（ステップＳ１１０４）。
【００４３】
つづいて交換対象となる他のチャンネルＢの指定を受け付ける（ステップＳ１１０５）。すると、受け付けたチャンネルＢに割当てられている放送βを受信し（ステップＳ１１０６）、その放送βを画面分割によって、今度は例えばディスプレイの右半分に表示して放送αと同時表示する（ステップＳ１１０７）。また、予め保持されているチャンネルＢのチャンネル属性情報を取得し、前記表示されている放送βに対応させて、その近傍などに表示する（ステップＳ１１０８）そして決定ボタンなどの押下を受付る（ステップＳ１１０９）と、チャンネルＡとチャンネルＢに対する放送周波数の割当を交換する（ステップＳ１１１０）。
【００４４】
<効果の簡単な説明>
以上のように、本実施例の放送受信装置によって、このようにして、ユーザーは割当周波数の交換対象となる複数のチャンネルに関して、放送中の番組などのみならず、詳細な属性情報も一目で把握することができるようになる。
【００４５】
≪実施例３≫
<概要>
本実施例の放送受信装置は、上記実施例２を基本として、さらに、指定チャンネルに対応させて表示する複数の属性情報の表示形態、例えば色やアイコンなど、をチャンネル選択中と決定済みなど各種状況に応じて変化させる機能を備えることを特徴とする。
【００４６】
図１２は、本実施例の放送受信装置における画面表示の一例を表す図である。この図にあるように、例えば放送周波数の割当を交換する対象チャンネルとして決定済み（決定ボタンが押下されている）の３チャンネルの属性情報の横には「確定」のアイコンが表示されたり、そのチャンネル番号が青色で表示されたりしている。一方、交換対象チャンネルとしてまだ選択中である（決定ボタンが押下されていない）１２チャンネルの属性情報の横には、「選択中」のアイコンが表示されたり、そのチャンネル番号が赤色で表示されたりしている、という具合である。
【００４７】
<機能的構成>
図１３は、本実施例の放送受信装置における機能ブロックの一例を表す図である。この図にあるように、本実施例の「放送受信装置」（１３００）は、実施例２を基本として、「指定部」（１３０１）と、「受信部」（１３０２）と、「同時表示部」（１３０３）と、「記憶部」（１３０４）と、「選局ユーザーインターフェース」（１３０５）と、「チャンネル属性情報保持部」（１３０６）と、「チャンネル属性情報表示部」（１３０７）と、を有する。なお、これら構成は、上記実施例にて記載したものと同様であるのでその説明は省略する。そして本実施例の放送受信装置の特徴点は、チャンネル属性情報表示部が、さらに「形態識別表示手段」（１３０８）を有する点である。
【００４８】
「形態識別表示手段」（１３０８）は、属性情報を対応させる放送別に別形態に表示する機能を有する。この形態識別表示手段は、例えば前述のように、チャンネル選択中と決定済みと、に応じてその形態を異ならせて表示するなどの制御を実行する。また、その形態は、表示色を変えたり別アイコンを表示したりするほか、フォントの種類やフォントサイズ、などを別として表示する形態などが挙げられる。
具体的には、例えば決定ボタンの押下があったチャンネルに関しては「アイコン１を加えて属性情報を表示する」「青色で表示する」などの処理内容を示す処理プログラム内のテーブルデータなどをＣＰＵが利用して、この別形態の表示処理が実行される、という具合である。このようにして、ユーザーは同時表示されている放送に関してどれが選択中のものか、などを容易に知ることができるようになる。
【００４９】
<処理の流れ>
図１４は、本実施例の放送受信装置における処理の流れの一例を表すフローチャートである。なお、以下に示すステップは、媒体に記録され計算機を制御するためのプログラムを構成する処理ステップであっても構わない。この図にあるように、まず、交換対象となる一のチャンネルＡの指定を受け付ける（ステップＳ１４０１）。すると、受け付けたチャンネルＡに割当てられている放送αを受信し（ステップＳ１４０２）、その放送αを画面分割によって、例えばディスプレイの左半分に表示する（ステップＳ１４０３）。また、予め保持されているチャンネルＡのチャンネル属性情報を取得し、前記表示されている放送αに対応させて、その近傍などに所定形態で表示する（ステップＳ１４０４）。
【００５０】
つづいて交換対象となる他のチャンネルＢの指定を受け付ける（ステップＳ１４０５）。すると、受け付けたチャンネルＢに割当てられている放送βを受信し（ステップＳ１４０６）、その放送βを画面分割によって、今度は例えばディスプレイの右半分に表示して放送αと同時表示する（ステップＳ１４０７）。また、予め保持されているチャンネルＢのチャンネル属性情報を取得し、前記表示されている放送βに対応させて、その近傍に所定形態で表示する（ステップＳ１４０８）そして決定ボタンなどの押下を受付る（ステップＳ１４０９）と、チャンネルＡとチャンネルＢに対する放送周波数の割当を交換する（ステップＳ１４１０）。
【００５１】
<効果の簡単な説明>
以上のように、本実施例の放送受信装置によって、ユーザーは同時表示されている放送に関してどれが割当周波数の交換対象として決定済みか、あるいは選択中か、などを容易に知ることができるようになる。
【００５２】
≪実施例４≫
<概要>
本実施例の放送受信装置は、上記各実施例を基本として、さらに、画面上に同時表示されている複数の放送のチャンネル割当の交換関係をユーザーに分かりやすく提示するため、矢印などのマークを表示する機能を備えることを特徴とする。
【００５３】
図１５は、本実施例の放送受信装置における画面表示の一例を表す図である。この図にあるように、例えば３チャンネルと１２チャンネルと１チャンネルが交換対象として指定されている。ここで、図に示すような矢印ｂが画面上に表示されているので、現在３チャンネルに割当てられている放送周波数は１２チャンネルに割当てられる予定であることが一目で把握できる。また、同様に矢印ａ、ｃから現在１２チャンネルに割当てられている放送周波数は１チャンネルに割当てられ、また現在１チャンネルに割当てられている放送周波数は３チャンネルに割当てられる、といった具合に、その放送周波数の交換関係が用意に把握できる、という具合である。
【００５４】
<機能的構成>
図１６は、本実施例の放送受信装置における機能ブロックの一例を表す図である。この図にあるように、本実施例の「放送受信装置」（１６００）は、実施例１を基本として、「指定部」（１６０１）と、「受信部」（１６０２）と、「同時表示部」（１６０３）と、「記憶部」（１６０４）と、「選局ユーザーインターフェース」（１６０５）と、を有する。また、実施例２や３を基本として、図示しない「チャンネル属性情報保持部」や「チャンネル属性情報表示部」、「形態識別表示手段」などを有していても良い。なお、これら構成は、上記実施例にて記載したものと同様であるのでその説明は省略する。そして本実施例の放送受信装置の特徴点は、さらに「交換関係表示部」（１６０６）を有する点である。
【００５５】
「交換関係表示部」（１６０６）は、指定された複数のチャンネルの交換関係を示す矢印などのマークを同時表示部（１６０３）にて表示されている画面と同時に表示する機能を有する。この交換関係表示部は、例えば、例えばＧＰＵ（グラフィックアクセラレータ）やＶＲＡＭなどによって実現することができる。具体的には、例えば指定順番に応じて決定された交換関係に応じて表示すべき矢印アイコンなどを指定するテーブルデータが予め保持されている。交換関係表示部では、決定された交換関係から表示すべきアイコンを特定し、ＧＰＵの演算制御によってＶＲＡＭ上の矢印アイコンを表示すべき位置を決定し、矢印アイコンの描画を実行する、という具合である。また「マーク」は矢印には限定されず、例えば交換方向を示す三角図形や、周波数割当の交換順を示す番号等であっても良い。
【００５６】
<処理の流れ>
図１７は、本実施例の放送受信装置における処理の流れの一例を表すフローチャートである。なお、以下に示すステップは、媒体に記録され計算機を制御するためのプログラムを構成する処理ステップであっても構わない。この図にあるように、まず、交換対象となる一のチャンネルＡの指定を受け付ける（ステップＳ１７０１）。すると、受け付けたチャンネルＡに割当てられている放送αを受信し（ステップＳ１７０２）、その放送αを画面分割によって、例えばディスプレイの左半分に表示する（ステップＳ１７０３）。
【００５７】
つづいて交換対象となる他のチャンネルＢの指定を受け付ける（ステップＳ１７０４）。すると、受け付けたチャンネルＢに割当てられている放送βを受信し（ステップＳ１７０５）、その放送βを画面分割によって、今度は例えばディスプレイの右半分に表示して放送αと同時表示する（ステップＳ１７０６）。続いて指定された２つ（複数）のチャンネルの交換関係を示す矢印などのマークを画面上に表示する（ステップＳ１７０７）。そして決定ボタンなどの押下を受付る（１７０８）と、チャンネルＡとチャンネルＢに対する放送周波数の割当を交換する（ステップＳ１７０９）。
【００５８】
<効果の簡単な説明>
以上のように、本実施例の放送受信装置によって、ユーザーは画面上に同時表示されている複数の放送のチャンネル割当の交換関係を容易に把握することができる。
【図面の簡単な説明】
【００５９】
【図１】実施例１の放送受信装置におけるチャンネルの周波数割当の交換処理の一例を説明するための概念図
【図２】実施例１の放送受信装置における機能ブロックの一例を表す図
【図３】実施例１の放送受信装置が備えるチャンネル交換機能の一例について説明するための図
【図４】実施例１の放送受信装置の同時表示部による２つの放送の同時表示の一例を表す概念図
【図５】実施例１の放送受信装置の記憶部での交換記憶処理を説明するための図
【図６】実施例１の放送受信装置におけるハードウェア構成の一例を表す図
【図７】実施例１の放送受信装置における処理の流れの一例を表すフローチャート
【図８】実施例２の放送受信装置における画面表示の一例を表す概念図
【図９】実施例２の放送受信装置における機能ブロックの一例を表す図
【図１０】実施例２の放送受信装置のチャンネル属性情報保持部にて保持されているチャンネル属性情報の一例を表す概念図
【図１１】実施例２の放送受信装置における処理の流れの一例を表すフローチャート
【図１２】実施例３の放送受信装置における画面表示の一例を表す図
【図１３】実施例３の放送受信装置における機能ブロックの一例を表す図
【図１４】実施例３の放送受信装置における処理の流れの一例を表すフローチャート
【図１５】実施例４の放送受信装置における画面表示の一例を表す図
【図１６】実施例４の放送受信装置における機能ブロックの一例を表す図
【図１７】実施例４の放送受信装置における処理の流れの一例を表すフローチャート
【符号の説明】
【００６０】
０２００  放送受信装置
０２０１  指定部
０２０２  受信部
０２０３  同時表示部
０２０４  記憶部
０２０５  選局ユーザーインターフェース
【図１】
2009027524.tif 000003
【図２】
2009027524.tif 000004
【図３】
2009027524.tif 000005
【図４】
2009027524.tif 000006
【図５】
2009027524.tif 000007
【図６】
2009027524.tif 000008
【図７】
2009027524.tif 000009
【図８】
2009027524.tif 000010
【図９】
2009027524.tif 000011
【図１０】
2009027524.tif 000012
【図１１】
2009027524.tif 000013
【図１２】
2009027524.tif 000014
【図１３】
2009027524.tif 000015
【図１４】
2009027524.tif 000016
【図１５】
2009027524.tif 000017
【図１６】
2009027524.tif 000018
【図１７】
2009027524.tif 000019